(57)【要約】【課題】エンジンの燃焼停止状態においてキャニスタに吸着された未燃燃料を無害化するための処理を実施する必要が生じた場合に、エンジンを燃焼状態にすることなく該処理を実施する。【解決手段】エンジン１０の排気通路１７には、排気浄化装置としての触媒１８が設けられている。また、触媒１８において、電力供給を受けて作動し、触媒１８を、排気通路１７を流下する排気の浄化が可能となる所定の排気浄化状態とする作動手段としてのヒータ１９が設けられている。ＥＣＵ４０は、エンジン１０の燃焼停止状態において、キャニスタ２４から燃料蒸発ガスを放出するための放出条件が成立したか否かを判定する。そして、放出条件成立と判定された場合、触媒１８を排気浄化状態に維持しかつエンジン１０を燃焼停止状態としたまま、キャニスタ２４に吸着された蒸発ガスを触媒１８に輸送する。【選択図】図１
2012225231.tif 000002
【特許請求の範囲】
【請求項１】
エンジンの排気通路に設けられた排気浄化装置と、電力供給を受けて作動し、前記排気浄化装置を、前記排気通路を流下する排気の浄化が可能となる所定の排気浄化状態とする作動手段と、燃料の蒸発ガスを吸着するキャニスタとを備える車両に適用され、
エンジンの燃焼停止状態において、前記キャニスタに吸着された蒸発ガスを放出するための放出条件が成立したか否かを判定する条件判定手段と、
前記条件判定手段により前記放出条件が成立したと判定された場合に、前記排気浄化装置を前記排気浄化状態とすべく前記作動手段を制御する浄化状態制御手段と、
前記浄化状態制御手段により前記排気浄化装置を前記排気浄化状態に維持しかつエンジンを燃焼停止状態としたまま、前記キャニスタから前記排気浄化装置への蒸発ガスの輸送を行わせる輸送手段と、
を備えることを特徴とする燃料蒸発ガス処理装置。
【請求項２】
前記作動手段は、電力供給を受けて前記排気浄化装置を加熱する加熱手段であり、
前記排気浄化装置は、所定の温度域まで高温化されることで前記排気浄化状態となるものであり、
前記浄化状態制御手段は、前記排気浄化装置の温度が前記所定の温度域よりも低温側である場合に前記加熱手段により前記排気浄化装置の加熱を実施し、
前記輸送手段は、前記排気浄化装置の温度が前記所定の温度域にある場合に、前記キャニスタから前記排気浄化装置への蒸発ガスの輸送を行わせる請求項１に記載の燃料蒸発ガス処理装置。
【請求項３】
前記キャニスタに吸着された蒸発ガスを該キャニスタからエンジンの吸気通路に放出するガス放出手段と、
電力によりエンジンの出力軸を回転させる回転制御手段と、を備え、
前記輸送手段は、エンジンを燃焼停止状態としたまま、前記回転制御手段により前記出力軸を回転させることにより、前記キャニスタから前記排気浄化装置への蒸発ガスの輸送を行わせる請求項１又は２に記載の燃料蒸発ガス処理装置。
【請求項４】
前記キャニスタと前記排気通路とを接続し、前記キャニスタに吸着された蒸発ガスを前記排気通路に放出する第１放出通路が設けられているとともに、該第１放出通路の途中に電動ポンプが配置されており、
前記輸送手段は、エンジンを燃焼停止状態としたまま前記電動ポンプを駆動することにより、前記キャニスタから前記排気浄化装置への蒸発ガスの輸送を行わせる請求項１又は２に記載の燃料蒸発ガス処理装置。
【請求項５】
前記キャニスタに吸着された蒸発ガスを該キャニスタからエンジンの吸気通路に放出する第２放出通路が設けられており、
前記キャニスタから前記排気浄化装置への蒸発ガスの輸送経路を、エンジンの燃焼状態において前記放出条件が成立した場合に前記第２放出通路とし、エンジンの燃焼停止状態において前記放出条件が成立した場合に前記第１放出通路とする通路切替手段を備える請求項４に記載の燃料蒸発ガス処理装置。
【請求項６】
車両駆動軸に接続された車両駆動用の電動機と、該車両駆動用の電動機に電力を供給するバッテリとを備える車両に適用される請求項１乃至５のいずれか一項に記載の燃料蒸発ガス処理装置。
【請求項７】
エンジンと前記車両駆動軸とが機械的に接続されておらず、かつ、
エンジンの出力軸に接続され、エンジンの回転力によって駆動されることで前記バッテリを充電する充電用の電動機を更に備える車両に適用される請求項６に記載の燃料蒸発ガス処理装置。
【発明の詳細な説明】
【技術分野】
【０００１】
本発明は、燃料蒸発ガス処理装置に関し、詳しくは、エンジンの燃料の蒸発ガスを無害化するための処理を実施する燃料蒸発ガス処理装置に関する。
【背景技術】
【０００２】
従来、エンジンの燃料の蒸発ガスをキャニスタに一時的に貯蔵し、その貯蔵した蒸発ガスをエンジンの吸気系に放出（パージ）してエンジンで燃焼処理することにより、キャニスタに吸着された未燃燃料の無害化を図ることが行われている（例えば特許文献１参照）。この特許文献１には、車両動力源としてエンジンと電気モータとを備えるハイブリッド車両の蒸発燃料処理に関する技術が開示されている。詳しくは、特許文献１の制御装置では、キャニスタの燃料吸着量が閾値以上の場合に、モータ走行（ＥＶモード）からモータとエンジンとの併用走行（ＨＶモード）に移行し、キャニスタからパージした未燃燃料をエンジンで消費することとしている。
【先行技術文献】
【特許文献】
【０００３】
【特許文献１】特開２００８−３０７９１５号公報
【発明の概要】
【発明が解決しようとする課題】
【０００４】
しかしながら、上記特許文献１のものでは、エンジンを燃焼停止状態から燃焼状態にする必要がない場合にも、未燃燃料を無害化するためにエンジンを始動させる必要があり、未燃燃料の処理に際し余分な燃料が消費されることが懸念される。また、ユーザが意図していないにもかかわらずエンジンの始動が行われることにより、その始動の際のエンジン音等によってユーザに違和感を与えることも懸念される。
【０００５】
また、車両の動力源として電動機を備える車両、特にエンジンを発電専用に使用するレンジエクステンダ車両や、家庭用電源等によりバッテリを充電可能なプラグインハイブリッド車両などではエンジンの運転頻度が少ないため、エンジン燃焼停止状態において未燃燃料の無害化処理の要求が生じやすくなり、上記の不都合が現れやすい。
【０００６】
本発明は、上記課題を解決するためになされたものであり、エンジンの燃焼停止状態において、キャニスタに吸着された未燃燃料を無害化するための処理を実施する必要が生じた場合に、エンジンを燃焼状態にすることなく該処理を実施することができる燃料蒸発ガス処理装置を提供することを主たる目的とする。
【課題を解決するための手段】
【０００７】
本発明は、上記課題を解決するために、以下の手段を採用した。
【０００８】
本発明は、エンジンの排気通路に設けられた排気浄化装置と、電力供給を受けて作動し、前記排気浄化装置を、前記排気通路を流下する排気の浄化が可能となる所定の排気浄化状態とする作動手段と、燃料の蒸発ガスを吸着するキャニスタとを備える車両に適用される燃料蒸発ガス処理装置に関する。また、請求項１に記載の発明は、エンジンの燃焼停止状態において、前記キャニスタに吸着された蒸発ガスを放出するための放出条件が成立したか否かを判定する条件判定手段と、前記条件判定手段により前記放出条件が成立したと判定された場合に、前記排気浄化装置を前記排気浄化状態とすべく前記作動手段を制御する浄化状態制御手段と、前記浄化状態制御手段により前記排気浄化装置を前記排気浄化状態に維持しかつエンジンを燃焼停止状態としたまま、前記キャニスタから前記排気浄化装置への蒸発ガスの輸送を行わせる輸送手段と、を備えることを特徴とする。
【０００９】
要するに、上記構成では、エンジンの燃焼停止状態において、キャニスタに吸着された燃料の蒸発ガスをキャニスタから放出する必要が生じた場合、エンジンの燃焼を停止した状態のまま、その蒸発ガスを、排気の浄化が可能な状態の排気浄化装置へ送り、該排気浄化装置で蒸発ガス（ＨＣやＣＯ）を酸化してＣＯ2やＨ2Ｏに変化させる。よって、蒸発ガスの酸化（無害化）を目的として運転停止中のエンジンをわざわざ始動する必要がない。したがって、上記構成によれば、燃料の蒸発ガスを無害化するのに際し、エンジン始動のための燃料が必要になったり、始動の際のエンジン音によってユーザに違和感を与えたりするのを回避することができる。
【００１０】
排気浄化装置として、例えば触媒等のように、所定の温度域まで高温化されることで排気の浄化を適切に実施可能な装置を用いる場合には、請求項２に記載の発明のように、前記作動手段は、電力供給を受けて前記排気浄化装置を加熱する加熱手段であり、前記排気浄化装置は、所定の温度域まで高温化されることで前記排気浄化状態となるものであり、前記浄化状態制御手段は、前記排気浄化装置の温度が前記所定の温度域よりも低温側である場合に前記加熱手段により前記排気浄化装置の加熱を実施し、前記輸送手段は、前記排気浄化装置の温度が前記所定の温度域にある場合に、前記キャニスタから前記排気浄化装置への蒸発ガスの輸送を行わせるものとするのがよい。
【００１１】
エンジンの燃焼停止状態では、排気通路に高温の排気が流れないため、排気浄化装置の温度が低く、上記構成の排気浄化装置において、蒸発ガスの無害化が適正に行われないことが考えられる。この点、本構成によれば、排気浄化装置の温度が低い場合には、電力を用いて排気浄化装置を加熱するため、エンジンの運転状態とは無関係に排気浄化装置を排気浄化が可能な状態にすることができる。つまり、燃料の蒸発ガスを無害化する必要が生じたときに排気浄化装置が排気の浄化が可能な状態にない場合にも、排気浄化装置の加熱によって蒸発ガスの無害化を適性に実施することができる。
【００１２】
エンジンの燃焼停止状態ではエンジンの回転が停止しているため、蒸発ガスを吸気通路に放出しても、その放出したガスが吸気通路で停滞し、排気浄化装置まで輸送できないことが考えられる。その点に鑑み、請求項３に記載の発明では、前記キャニスタに吸着された蒸発ガスを該キャニスタからエンジンの吸気通路に放出するガス放出手段と、電力によりエンジンの出力軸を回転させる回転制御手段と、を備え、前記輸送手段は、エンジンを燃焼停止状態としたまま、前記回転制御手段により前記出力軸を回転させることにより、前記キャニスタから前記排気浄化装置への蒸発ガスの輸送を行わせる。
【００１３】
上記構成によれば、回転制御手段によるエンジンのモータリング機能を利用することにより、吸気通路に放出された蒸発ガスを排気浄化装置まで確実に輸送することができる。また、このとき、回転制御手段において既設のモータリング装置を利用することで、蒸発ガスを排気浄化装置に送るための新たな装置を追加しなくて済む。ここで、モータリング装置としては、例えばエンジンのクランキングを行うスタータや、エンジンの出力軸に接続され発電機としても機能する発電電動機などが挙げられる。
【００１４】
蒸発ガスを排気浄化装置に輸送する構成としては、請求項４に記載の発明のように、前記キャニスタと前記排気通路とを接続し、前記キャニスタに吸着された蒸発ガスを前記排気通路に放出する第１放出通路が設けられているとともに、該第１放出通路の途中に電動ポンプが配置されており、前記輸送手段は、エンジンを燃焼停止状態としたまま前記電動ポンプを駆動することにより、前記キャニスタから前記排気浄化装置への蒸発ガスの輸送を行わせる構成としてもよい。この構成によれば、エンジンのモータリングを行わなくても、キャニスタに吸着された蒸発ガスを排気浄化装置に輸送することができる。よって、エンジンのモータリングによる場合に比べて、消費電力の節減や音抑制を図ることができる点で好適である。
【００１５】
また、燃料の蒸発ガスを排気通路に放出する構成（請求項４）では、請求項５に記載の発明のように、前記キャニスタに吸着された蒸発ガスを該キャニスタからエンジンの吸気通路に放出する第２放出通路が設けられており、前記キャニスタから前記排気浄化装置への蒸発ガスの輸送経路を、エンジンの燃焼状態において前記放出条件が成立した場合に前記第２放出通路とし、エンジンの燃焼停止状態において前記放出条件が成立した場合に前記第１放出通路とする通路切替手段を備えるものとしてもよい。本構成によれば、エンジンが燃焼状態の場合には、その燃焼を利用して蒸発ガスを処理するため、蒸発ガス輸送のための電動ポンプの駆動頻度をできるだけ少なくして消費電力の低減を図りつつ、エンジン運転状態とは無関係に蒸発ガスの無害化を実施することができる。
【００１６】
請求項６に記載の発明では、車両駆動軸に接続された車両駆動用の電動機と、該車両駆動用の電動機に電力を供給するバッテリとを備える車両に上記の請求項１〜５の構成を適用する。車両駆動用の電動機を備える車両では、エンジンが運転状態（燃焼状態）になる頻度が少なく、エンジン燃焼停止状態において蒸発ガスの無害化を行う必要が生じやすい。したがって、上記車両に本発明を適用することにより、エンジンを燃焼状態にすることなく燃料の蒸発ガスの無害化処理を実施することによる効果、具体的には、蒸発ガスを無害化するのに際し、エンジン始動のための燃料が必要になったり始動の際のエンジン音によってユーザに違和感を与えたりするのを回避できるといった効果をより好適に得ることができる。
【００１７】
また、車両駆動用の電動機を備える車両の中でも、特に請求項７に記載の発明のように、エンジンと前記車両駆動軸とが機械的に接続されておらず、エンジンの出力軸に接続されエンジンの回転力によって駆動されることで前記バッテリを充電する充電用の電動機を更に備える車両（レンジエクステンダ車両）に適用するのが好ましい。レンジエクステンダ車両では、エンジンが発電専用であるため、エンジンが運転状態になる頻度が一層少ないからである。また、本構成においては、更に、上記の充電用の電動機を用いてエンジンのモータリングを行う構成としてもよい。この場合、キャニスタから吸気通路に放出された燃料蒸発ガスを排気浄化装置に輸送する際に、蒸発ガスの無害化処理に要する時間（例えば数十秒）の間、エンジンを一定の回転速度（例えば１０００〜２０００ｒｐｍ）で回転させることができ、排気浄化装置への蒸発ガスの輸送を好適に実施することができる。
【図面の簡単な説明】
【００１８】
【図１】車両システムの全体概略構成図。
【図２】パージ処理の処理手順を示すフローチャート。
【図３】本実施形態のパージ処理の具体的態様を示すタイムチャート。
【図４】他の実施形態における車両システムの全体概略構成図。
【図５】他の実施形態におけるパージ処理の処理手順を示すフローチャート。
【発明を実施するための形態】
【００１９】
（第１の実施形態）
以下、本発明を具体化した第１の実施形態について図面を参照しつつ説明する。本実施形態は、動力源としてのモータと、発電専用のエンジンとを備えるハイブリッド車両（レンジエクステンダ車両）の制御装置に具体化している。当該システムにおいては、電子制御ユニット（以下、ＥＣＵという）を中枢として、エンジンの燃料噴射量の制御や点火時期等を制御するとともに、モータの駆動を制御することで車両のシステム全体を制御する。本システムの全体概略構成図を図１に示す。
【００２０】
図１において、エンジン１０は例えば単気筒ガソリンエンジンであり、インジェクタ１１や点火装置（イグナイタ等）１２を備えている。なお、インジェクタ１１は、エンジン１０の吸気ポート近傍に設けられていてもよいし、各気筒のシリンダヘッド等に吸気ポートに設けられていてもよい。また、エンジン１０を単気筒エンジンとしたが、多気筒エンジンであってもよい。
【００２１】
エンジン１０の吸気通路１３には、ＤＣモータ等のスロットルアクチュエータ１４によって開度調節されるスロットルバルブ１５が設けられている。スロットルバルブ１５の開度（スロットル開度）は、スロットルアクチュエータ１４に内蔵されたスロットル開度センサ（図示略）により検出される。スロットルバルブ１５を通過した空気は燃料と混合され、その混合気がエンジン１０の燃焼室で燃焼に供される。これにより、エンジン１０のピストン（図示略）が往復動して、エンジン１０の出力軸であるクランク軸１６が回転される。
【００２２】
エンジン１０の排気通路１７には、排ガス中のＣＯ，ＨＣ，ＮＯｘ等を浄化するための触媒１８が設けられており、本実施形態では触媒１８として三元触媒が用いられている。三元触媒は、排気中の酸素を吸蔵する酸素ストレージ能を有しており、触媒に吸着されたＯ2を放出してＨＣやＣＯを酸化するとともに、ＮＯｘの還元を行う。
【００２３】
触媒１８の近傍にはヒータ１９が設けられており、電力の供給を受けてヒータ１９が発熱することで触媒全体が加熱されるようになっている。このヒータ１９による触媒１８の加熱により、触媒１８が所定の活性温度以上の活性状態（排気浄化状態）にされるとともに、その活性状態が保持される。また、触媒１８の上流側には、排ガスを検出対象として混合気の空燃比（酸素濃度）を検出するための空燃比センサ２１が設けられている。
【００２４】
エンジン１０の燃料（ガソリン）を貯留する燃料タンク２２には、導管２３を介してキャニスタ２４が接続されている。キャニスタ２４には活性炭等の吸着体が収容されており、吸着体によって、燃料タンク２２内で蒸発した未燃燃料ガスが吸着されるようになっている。また、キャニスタ２４には、ガス放出通路としてのパージ管２５が接続されており、パージ管２５において、キャニスタ２４に接続される側とは反対の端部が吸気通路１３に接続されている。このパージ管２５の途中には、通電制御により開閉されるパージバルブ２６が設けられている。
【００２５】
燃料タンク２２内で蒸発した燃料ガスは、導管２３を介してキャニスタ２４内に導入され、吸着体に吸着される。この状態でパージバルブ２６が開弁されると、吸着体に吸着された燃料の蒸発ガスが、エンジン１０の回転に伴い生じる吸気管負圧により、パージ管２５を介して吸気系に放出（パージ）され、例えばエンジン１０により燃焼処理され無害化される。
【００２６】
クランク軸１６にはモータＭＧ１が接続されている。モータＭＧ１は、発電機としても電動機としても機能する周知の同期発電電動機である。詳しくは、モータＭＧ１は、クランク軸１６の回転エネルギによって駆動されることで発電するとともに、その発電された電力でバッテリ２７を充電する。また、モータＭＧ１は、エンジン始動に際しては電動機として機能し、バッテリ２７からの電力供給を受けて駆動されることで、クランク軸１６に初期回転を付与する（モータリングする）。
【００２７】
なお、クランク軸１６とモータＭＧ１との間に、動力を伝達可能な動力伝達状態と、動力伝達が遮断される動力遮断状態とを切り替える電磁駆動式のクラッチを設ける構成としてもよい。この場合、モータＭＧ１によるバッテリ２７の充電時にはクラッチを動力伝達状態とし、エンジンの初期回転付与時にはクラッチを動力遮断状態にするとよい。
【００２８】
バッテリ２７は、プラグＰＧを介して外部電源によって充電可能になっている。なお、バッテリ２７は、ＤＣ−ＤＣコンバータを介して低圧バッテリ（例えば１２Ｖの補機バッテリ、図示略）に接続されており、バッテリ２７からの電力によって低圧バッテリが充電されるようになっている。
【００２９】
また、バッテリ２７にはモータＭＧ２が接続されている。モータＭＧ２は、発電機としても電動機としても機能する周知の同期発電電動機であり、バッテリ２７からの電力供給を受けて駆動される。モータＭＧ２には、減速機構２８や車両駆動軸３１等を介して車輪（駆動輪）２９が接続されており、モータＭＧ２の動力が駆動輪２９に伝達されるようになっている。なお、モータＭＧ２は、車両の減速時に回生発電する機能を有しており、発電した電力でバッテリ２７を充電する。
【００３０】
その他、本システムには、エンジン１０の所定クランク角毎にクランク角信号を出力するクランク角センサ３２や、エンジン１０の冷却水温度を検出する冷却水温センサ３３、バッテリ２７の充放電電流を検出するバッテリセンサ３４等が設けられている。
【００３１】
ＥＣＵ４０は、周知の通りＣＰＵ、ＲＯＭ、ＲＡＭ等よりなるマイクロコンピュータ（以下、マイコン４１という）を主体として構成され、ＲＯＭに記憶された各種の制御プログラムを実行することで、エンジン１０の各種制御や、モータＭＧ１、モータＭＧ２の駆動制御等を実施する。なお、モータＭＧ１，ＭＧ２及びエンジン１０のそれぞれは、実際には各別の電子制御装置により制御されるが、ここではこれら電子制御装置をＥＣＵ４０と表記している。
【００３２】
エンジン制御について、ＥＣＵ４０のマイコン４１は、前述した各種センサから各種検出信号等を入力し、これらの各種検出信号等に基づいて、燃料噴射量や点火時期等を演算してエンジン１０のインジェクタ１１や点火装置１２の駆動を制御する。詳しくは、マイコン４１は、バッテリセンサ３４の検出値に基づいてバッテリ２７の残容量（ＳＯＣ）を演算し、その演算したＳＯＣに基づきバッテリ２７の充電要求があると判断した場合、モータＭＧ１を駆動してエンジン１０に初期回転を付与するとともに、インジェクタ１１や点火装置１２の駆動を制御してエンジン１０の燃焼を開始する。これにより、エンジン１０が始動され、モータＭＧ１によるバッテリ２７の充電が行われる。この充電によりバッテリ２７のＳＯＣが目標値に達すると、インジェクタ１１や点火装置１２の駆動を停止して、エンジン１０の燃焼を停止する。
【００３３】
また、マイコン４１は、燃料タンク２２内で蒸発した未燃燃料をエンジン側に供給し、その未燃燃料を無害化する処理（パージ処理）を実施する。詳しくは、本実施形態では、前回のパージ処理の実行から所定時間が経過した場合に、パージ実行条件が成立したものとしてパージバルブ２６を開弁し、キャニスタ２４に吸着されている燃料ガスを吸気通路１３にパージする。このとき、エンジン１０が燃焼状態であれば、エンジン１０の燃焼室で燃料ガスが燃焼され処理されることとなる。このパージ実行条件が放出条件に相当する。
【００３４】
なお、パージ実行条件としては、上記条件に代えて又は上記条件とともに、例えば、燃料タンク２２内の圧力が所定圧力以上になったことや、キャニスタ２４の吸着量が所定量以上になったこと等の少なくともいずれかを含んでいてもよい。また、パージを終了するための条件（パージ終了条件）としては、例えば、パージの実行開始から所定時間が経過したことや、燃料タンク２２内の圧力が所定圧力以下になったこと、キャニスタ２４の吸着量が所定量以下になったこと等の少なくともいずれかを含むものとする。
【００３５】
ところで、本システムのように、エンジン１０を車両走行の動力源として用いず発電専用として用いる場合や、バッテリ２７が外部電源により充電可能な場合では、エンジンのみを車両走行の動力源として用いる車両に比べて、エンジン１０が運転状態（燃焼状態）になる頻度が少ない（エンジン１０が燃焼停止状態になる頻度が多い）。そのため、パージ実行条件の成立がエンジン運転停止状態のときに生じることが考えられる。この場合に、エンジン１０の燃焼によって未燃燃料ガスを処理しようとすると、エンジン１０を始動させる必要が生じてしまう。ところが、このようなエンジン始動は、始動のための燃料が必要になるだけでなく、始動の際のエンジン音によってユーザに違和感を与えることが懸念される。
【００３６】
そこで、本実施形態では、エンジン１０の燃焼停止状態においてパージ実行条件が成立した場合、エンジン１０の燃焼を停止した状態のまま、キャニスタ２４に吸着された燃料の蒸発ガスを排気の浄化が可能な状態（活性状態）の触媒１８へ輸送する。これにより、キャニスタ２４に吸着された燃料の蒸発ガス（ＨＣやＣＯ）を触媒１８で酸化させ、ＣＯ2やＨ2Ｏとして車外に排出することとしている。
【００３７】
次に、本実施形態のパージ処理の処理手順を図２のフローチャートを用いて説明する。この処理は、ＥＣＵ４０のマイコン４１により所定周期毎に実行される。
【００３８】
図２において、ステップＳ１１では、パージ処理の実行中か否かを判定する。パージ処理の実行中でない場合にはステップＳ１２へ進み、パージ実行条件が成立したか否かを判定する。ここでは、例えば前回のパージ処理実行から所定時間が経過したか否かを判定する。
【００３９】
ステップＳ１２がＹＥＳの場合、ステップＳ１３へ進み、エンジン１０が運転状態（燃焼状態）か否かを判定する。このとき、エンジン運転状態の場合にはステップＳ１４へ進み、キャニスタ２４に吸着された燃料の蒸発ガスをエンジン１０で燃焼処理する通常パージ処理を実施する。具体的には、パージ実行条件の成立に伴い、スロットルバルブ１５を全開状態よりも閉弁側の所定の閉弁位置αにして、エンジン１０の回転によって吸気通路１３に負圧を発生させ、この吸気管負圧の状態でパージバルブ２６を開弁する。これにより、キャニスタ２４に吸着された燃料の蒸発ガスがキャニスタ２４から吸気通路１３に放出され、エンジン１０の燃焼室で燃焼処理される。
【００４０】
一方、エンジン１０が運転停止状態（燃焼停止状態）であればステップＳ１５へ進み、触媒１８の温度（触媒温度）が、所定の活性温度（三元触媒では３００〜４００℃）以上の活性温度域にあるか否かを判定する。なお、触媒温度は、都度のエンジン運転状態や外気温などに基づいて算出してもよいし、あるいは、触媒１８の近傍に温度センサを配置し、その温度センサにより直接検出してもよい。
【００４１】
触媒温度が活性温度域よりも低温側である場合にはステップＳ１６へ進み、ヒータ１９に通電して触媒１８を加熱する。一方、触媒温度が活性温度域にある場合にはステップＳ１５がＹＥＳとなりステップＳ１７へ進み、エンジン１０のモータリングを行う。ここでは、エンジン１０の燃料噴射及び点火を停止したままの状態でモータＭＧ１を駆動し、モータＭＧ１の回転力によりクランク軸１６を回転させる。
【００４２】
続くステップＳ１８では、スロットルバルブ１５を所定の閉弁位置βにするとともに、パージバルブ２６を開弁する。所定の閉弁位置βは、吸気通路１３を負圧にすることが可能な開度位置であり、本実施形態では、全閉状態よりも若干開弁側の位置である。所定の閉弁位置βは、通常パージ処理での閉弁位置αと同じでも異なっていてもよい。
【００４３】
なお、ステップＳ１８では、エンジン１０のモータリング開始から所定時間が経過するのを待ってからパージバルブ２６を開弁することにより、吸気通路１３内を十分に負圧にした後に燃料ガスのパージを行ってもよい。
【００４４】
さて、ステップＳ１９では、パージ終了条件が成立したか否かを判定する。ここでは、例えばパージの実行開始から所定の実施時間が経過したか否かを判定する。このとき、パージ終了条件が成立していなければそのまま本ルーチンを終了する。
【００４５】
一方、パージ終了条件が成立した場合にはステップＳ２０へ進み、パージバルブ２６を閉弁する。また、ステップＳ２１では、エンジン運転停止状態でのパージ処理の実施か否かを判定し、ステップＳ２１がＹＥＳの場合、ステップＳ２２において、モータＭＧ１によるエンジン１０のモータリングを停止する。そして本ルーチンを終了する。
【００４６】
次に、本実施形態の燃料ガスのパージ処理の具体的態様について、図３のタイムチャートを用いて説明する。図中、（ａ）はパージ実行条件の成立／不成立の推移、（ｂ）はパージ解除条件の成立／不成立の推移、（ｃ）はヒータ１９のオン／オフの推移、（ｄ）は触媒温度の推移、（ｅ）はモータＭＧ１のオン／オフの推移、（ｆ）はスロットル開度の推移、（ｇ）はパージバルブ２６の開閉の推移、（ｈ）はエンジン回転速度の推移を示す。
【００４７】
図３において、エンジン１０の運転停止状態でパージ実行条件が成立した場合、触媒温度が所定の活性温度Ｔａｃよりも低ければ、そのタイミングｔ１１でヒータ１９への通電が開始され、触媒１８の加熱が行われる。そして、触媒温度が活性温度Ｔａｃ以上になると、そのタイミングｔ１２でモータＭＧ１への通電が行われる。これにより、エンジン１０のモータリングが行われ、エンジン回転速度が所定のモータリング回転速度Ｎｍ（例えば１０００〜２０００ｒｐｍ）で保持される。
【００４８】
また、タイミングｔ１２では、スロットル開度が所定の閉弁位置βで保持されるとともに、パージバルブ２６が閉弁状態から開弁状態に切り替えられる。これにより、キャニスタ２４と吸気通路１３とが連通され、キャニスタ２４に吸着された燃料の蒸発ガスが、エンジン１０の回転に伴うピストンの往復動によって吸気通路１３に放出され、エンジン１０の燃焼室を経由して触媒１８へと送られる。触媒１８では、輸送された燃料の蒸発ガス（ＨＣやＣＯ）が、触媒１８に吸蔵された酸素により酸化され、Ｈ2ＯやＣＯ2として排出される。その後、パージ解除条件が成立すると、そのタイミングｔ１３でパージバルブ２６が閉弁状態に切り替えられるとともに、モータＭＧ１への通電が停止され、パージ処理が終了される。
【００４９】
なお、上記図３では、エンジン１０の運転停止状態においてスロットルバルブ１５が全閉状態となっており、タイミングｔ１２ではスロットル開度を開弁側に変更したが、エンジン１０の運転停止状態においてスロットルバルブ１５が開弁状態（例えば全開状態）となっていてもよい。この場合、タイミングｔ１２では、スロットルバルブ１５の開度を閉弁側に変更する。
【００５０】
以上詳述した本実施形態によれば、次の優れた効果が得られる。
【００５１】
エンジン１０の燃焼停止状態においてパージ実行条件が成立した場合、エンジン１０の燃焼を停止した状態のまま、キャニスタ２４に吸着された燃料の蒸発ガスを、排気の浄化が可能な状態、つまり活性状態の触媒１８へ輸送する構成とした。これにより、キャニスタ２４に吸着された燃料の蒸発ガス（ＨＣやＣＯ）を触媒１８で酸化処理することができる。よって、本構成によれば、運転停止中のエンジン１０をわざわざ始動しなくても、キャニスタ２４から放出された未燃燃料を無害化することができる。その結果、未燃燃料を無害化するのに際し、エンジン始動のための燃料が必要になったり、始動の際のエンジン音によってユーザに違和感を与えたりするのを回避することができる。特に、レンジエクステンダ車両に本発明を適用する構成としたため、上記効果を好適に得ることができる。
【００５２】
また、電力により触媒１８を加熱する加熱手段としてヒータ１９を設け、触媒１８の温度が活性温度域よりも低温側である場合には、ヒータ１９により触媒１８を加熱する構成としたため、エンジン１０の運転状態とは無関係に触媒１８を活性状態にすることができる。したがって、パージ実行条件の成立時にエンジン１０が燃焼停止状態であり、かつそのときに触媒１８が活性状態にない場合にも、触媒１８の加熱によって蒸発ガスの無害化を実施することができる。
【００５３】
エンジン１０の燃焼停止状態において、パージ実行条件成立に伴い燃料の蒸発ガスを吸気通路１３に放出する際に、エンジン１０のモータリングを実施する構成としたため、吸気通路１３に放出された蒸発ガスを触媒１８まで確実に輸送することができる。また、エンジン１０の回転を行う回転制御手段として、既設のモータリング装置（モータＭＧ１）を利用する構成としたため、蒸発ガスを触媒１８に輸送するための新たな装置を追加しなくてよい。また、エンジン１０のモータリングをモータＭＧ１で行うことにより、蒸発ガスの無害化処理に要する時間（例えば数十秒）の間、エンジン１０を一定の回転速度（例えば１０００〜２０００ｒｐｍ）で回転させることができ、蒸発ガスの触媒１８への輸送を好適に実施することができる。
【００５４】
（第２の実施形態）
次に、本発明の第２の実施形態について、上記第１の実施形態との相違点を中心に説明する。上記第１の実施形態では、キャニスタ２４に吸着された燃料の蒸発ガスを吸気通路１３に放出したが、本実施形態では、キャニスタ２４と排気通路１７とを接続する通路（第１放出通路）を設け、該第１放出通路を介して、キャニスタ２４に吸着された燃料の蒸発ガスを放出する構成としている。以下、本実施形態のパージ処理について説明する。
【００５５】
図４は、本実施形態のシステムの全体概略構成図である。図４において、キャニスタ２４にはパージ管２５が接続されており、パージ管２５の途中にパージバルブ２６が設けられている。また、パージ管２５は、キャニスタ２４に接続される側とは反対側が２つに分岐されており、その一方の分岐通路５１が吸気通路１３に接続され、他方の分岐通路５２が排気通路１７の触媒１８の上流側に接続されている。
【００５６】
分岐通路５１，５２の分岐点には、通電制御により駆動される切替弁５３が設けられている。この切替弁５３の作動により、キャニスタ２４に吸着された燃料の蒸発ガスを、分岐通路５１を介して吸気通路１３に放出するか、それとも分岐通路５２を介して排気通路１７に放出するかを切り替え可能になっている。また、排気通路側の分岐通路５２の途中には電動ポンプ５４が設けられており、電動ポンプ５４の駆動により、キャニスタ２４に吸着された燃料の蒸発ガスを排気通路１７に放出可能になっている。なお、排気側の分岐通路５２が第１放出通路に相当し、吸気側の分岐通路５１が第２放出通路に相当する。
【００５７】
次に、本実施形態のパージ処理について、図５のフローチャートを用いて説明する。この処理は、ＥＣＵ４０のマイコン４１により所定周期毎に実行される。なお、上記の図２と同じ処理については、図２のステップ番号を付してその説明を省略する。
【００５８】
図５において、ステップＳ３１〜Ｓ３３では、上記図２のステップＳ１１〜Ｓ１３と同じ処理を実行し、ステップＳ３３でエンジン運転状態の場合、ステップＳ３４へ進み、キャニスタ２４に吸着された燃料蒸発ガスの放出経路が吸気通路側の分岐通路５１となるように切替弁５３を作動させる。また、ステップＳ３５では、上記図２のステップＳ１４と同じ通常パージ処理を実行する。
【００５９】
一方、ステップＳ３３でエンジン運転停止状態の場合にはステップＳ３６へ進み、キャニスタ２４に吸着された燃料蒸発ガスの放出経路が排気通路側の分岐通路５２となるように切替弁５３を作動させる。また、ステップＳ３７では、触媒温度が、所定の活性温度以上の活性温度域にあるか否かを判定する。そして、触媒温度が所定の活性温度以上であるとステップＳ３９へ進み、パージバルブ２６を開弁状態にするとともに、電動ポンプ５４を駆動する。これにより、キャニスタ２４と排気通路１７とが分岐通路５２を介して連通され、キャニスタ２４に吸着された燃料の蒸発ガスが、電動ポンプ５４の駆動により排気通路１７に放出され触媒１８へと輸送される。触媒１８では、輸送された燃料ガス（ＨＣやＣＯ）が、触媒１８に吸蔵された酸素により酸化され、Ｈ2ＯやＣＯ2として車外に排出される。
【００６０】
また、パージ終了条件が成立するとステップＳ４０がＹＥＳとなり、ステップＳ４１でパージバルブ２６を閉弁する。また、エンジン運転停止状態の場合にはステップＳ４３へ進み、電動ポンプ５４の駆動を停止し、本処理を終了する。
【００６１】
以上詳述した本実施形態によれば、以下の優れた効果が得られる。
【００６２】
キャニスタ２４と排気通路１７とを接続する分岐通路５２と、分岐通路５２に配置された電動ポンプ５４とを設け、エンジン燃焼停止状態においてパージ実行条件が成立した場合に、キャニスタ２４に吸着された燃料の蒸発ガスを、電動ポンプ５４の駆動によって分岐通路５２を介して排気通路１７に放出する構成とした。この構成によれば、エンジン１０のモータリングを行わなくても、キャニスタ２４に吸着された燃料の蒸発ガスを触媒１８に輸送することができる。したがって、エンジンのモータリングによって蒸発ガスを触媒１８に輸送する場合に比べ、消費電力の節減や音抑制を図ることができる。
【００６３】
エンジン１０が燃焼状態かそれとも燃焼停止状態かに応じて、キャニスタ２４に吸着された燃料の蒸発ガスの放出経路を、排気側の分岐通路５２（第１放出通路）にするか、それとも吸気側の分岐通路５１（第２放出通路）にするかを切り替える構成としたため、エンジン１０が燃焼状態の場合には、その燃焼を利用して蒸発ガスの無害化を行うことができる。これにより、電動ポンプ５４を駆動する頻度を極力少なくすることができる。
【００６４】
（他の実施形態）
本発明は上記実施形態の記載内容に限定されず、例えば次のように実施されてもよい。
【００６５】
・上記図５のステップＳ３９で電動ポンプ５４を駆動することにより、キャニスタ２４に吸着された燃料の蒸発ガスを触媒１８に輸送する際、併せてモータＭＧ１を駆動する構成としてもよい。この場合、排気通路１７内において上流側から下流側への空気の流れを形成することができ、分岐通路５２から放出された燃料の蒸発ガスを触媒１８に輸送する上で好適である。
【００６６】
・上記実施形態では、排気浄化装置として三元触媒を用いたが、これ以外の触媒を用いる構成でもよく、要は未燃燃料を浄化できる構成であればよい。また、排気浄化装置として触媒以外の構成でもよく、例えばプラズマ放電装置を用いる構成でもよい。プラズマ放電装置は、例えば、排気通路内に設けられた電極間の放電により排気中の成分をプラズマ化するものであり、各電極に対しては、作動手段としての高電圧印加装置から高電圧が印加されるようになっている。この場合、排気通路内において、プラズマ放電装置により解離されたＨＣイオンと酸素とが結合されることで、排気の浄化（未燃燃料の無害化）が行われるようになっている。
【００６７】
・上記実施形態では、車両走行の動力源としてモータＭＧ２を備えるとともに、発電専用のエンジン１０を備えるハイブリッド車両（レンジエクステンダ車両）における排気浄化システムの制御装置に本発明を具体化した場合について説明したが、ハイブリッド車両の構成はこれに限定せず、例えば車両走行の動力源としてモータとエンジンとを備える車両に適用してもよい。また、ハイブリッド車両に限定せず、例えば車両走行の動力源がエンジンのみである車両に本発明を適用してもよい。
【符号の説明】
【００６８】
１０…エンジン、１３…吸気通路、１７…排気通路、１８…触媒（排気浄化装置）、１９…ヒータ（作動手段、加熱手段）、２４…キャニスタ、２５…パージ管、２６…パージバルブ（ガス放出手段）、２７…バッテリ、４０…ＥＣＵ、４１…マイコン（条件判定手段、浄化状態制御手段、輸送手段、ガス放出手段、回転制御手段）、５１…分岐通路（第２放出通路）、５２…分岐通路（第１放出通路）、５３…切替弁（通路切替手段）、５４…電動ポンプ、ＭＧ１…モータ（回転制御手段、充電用の電動機）、ＭＧ２…モータ（車両駆動用の電動機）。
【図１】
2012225231.tif 000003
【図２】
2012225231.tif 000004
【図３】
2012225231.tif 000005
【図４】
2012225231.tif 000006
【図５】
2012225231.tif 000007